(57)【要約】【課題】比較的長い伝送距離であっても四光波混合光の発生を十分に低減できる光トランシーバと光伝送システムとを提供する。【解決手段】所定波長帯域に属する複数の波長を含む波長多重光信号を出力する送信装置２と、この波長多重光信号を受ける受信装置１２とを備え、光ファイバ２４を介して外部機器と光信号を送受する。送信装置２から出力される第１の波長多重光信号に第１の分散量を付加して得られる第２の波長多重光信号を生成し、第２の波長多重光信号を光ファイバ２４に出力する分散補償器１０を有する。光ファイバ２４からの波長多重光信号の波長分散を補償して得られる他の波長多重光信号を生成し、第４の波長多重光信号を受信装置１２に出力する分散補償器２０とを備える。分散補償器２０は、第１の分散量に対応する分散量を補償するための第１の補償量を、第３の波長多重光信号に付加する。【選択図】図２
2009296259.tif 000002
【特許請求の範囲】
【請求項１】
所定の波長帯域に属する複数の波長を含む波長多重光信号を出力する送信装置と、前記波長帯域に属する複数の波長を含む波長多重光信号を受ける受信装置とを備え、光伝送路を介して外部機器と光信号を送受する光トランシーバであって、
前記送信装置から出力される第１の波長多重光信号に第１の分散量を付加して得られる第２の波長多重光信号を生成し、該第２の波長多重光信号を前記光伝送路に出力する第１の分散補償器と、
前記光伝送路から出力される第３の波長多重光信号の波長分散を補償して得られる第４の波長多重光信号を生成し、該第４の波長多重光信号を前記受信装置に出力する第２の分散補償器と
を備え、
前記第２の分散補償器は、前記第１の分散量に対応する分散量を補償するための第１の補償量を、前記第３の波長多重光信号に付加する、ことを特徴とする光トランシーバ。
【請求項２】
前記第１の分散補償器は、前記第３の波長多重光信号に含まれており前記光伝送路において生じる第２の分散量を補償するための第２の補償量を、前記第１の分散量と共に前記第１の波長多重光信号に付加する、ことを特徴とする請求項１に記載の光トランシーバ。
【請求項３】
前記第２の分散補償器は、前記第３の波長多重光信号に含まれており前記光伝送路において生じる第２の分散量を補償するための第２の補償量を、前記第１の補償量と共に前記第３の波長多重光信号に付加する、ことを特徴とする請求項１に記載の光トランシーバ。
【請求項４】
前記波長帯域は、前記光伝送路の零分散波長を含む、ことを特徴とする請求項１〜３のうち何れか一項に記載の光トランシーバ。
【請求項５】
光伝送路を介して所定の波長帯域に属する複数の波長を含む波長多重光信号を送受する第１及び第２の光トランシーバを備えた光伝送システムであって、
前記第１の光トランシーバは、
前記波長多重光信号を出力する送信装置と、
前記送信装置から送信される第１の波長多重光信号に第１の分散量を付加して得られる第２の波長多重光信号を生成し、該第２の波長多重光信号を前記光伝送路に出力する第１の分散補償器と
を有し、
前記第２の光トランシーバは、
前記波長多重光信号を受ける受信装置と、
前記第２の波長多重光信号の入力に応じて前記光伝送路から出力される第３の波長多重光信号の波長分散を補償して得られる第４の波長多重光信号を生成し、該第４の波長多重光信号を前記受信装置に出力する第２の分散補償器と
を有し、
前記第２の分散補償器は、前記第１の分散量を補償するための第１の補償量を前記第３の波長多重光信号に付加する、ことを特徴とする光伝送システム。
【請求項６】
前記第１の分散補償器は、前記第３の波長多重光信号に含まれており前記光伝送路において生じる第２の分散量を補償するための第２の補償量を、前記第１の分散量と共に前記第１の波長多重光信号に付加する、ことを特徴とする請求項５に記載の光伝送システム。
【請求項７】
前記第２の分散補償器は、前記第３の波長多重光信号に含まれており前記光伝送路において生じる第２の分散量を補償するための第２の補償量を、前記第１の補償量と共に前記第３の波長多重光信号に付加する、ことを特徴とする請求項５に記載の光伝送システム。
【請求項８】
前記波長帯域は、前記光伝送路の零分散波長を含む、ことを特徴とする請求項５〜７のうち何れか一項に記載の光伝送システム。
【発明の詳細な説明】
【技術分野】
【０００１】
本発明は、光トランシーバと光伝送システムとに関する。
【背景技術】
【０００２】
特許文献１には、波長多重光信号を送受する光波長多重通信装置が開示されている。この光波長多重通信装置は、波長多重光信号を送信する送信装置と、この波長多重光信号を受信する受信装置と、送信装置と受信装置との間に設けられた光伝送路とを備える。波長多重光信号に含まれる各光信号の波長は、光伝送路の零分散波長と異なる波長を有している。
【特許文献１】特開平０７−３３６３０１号公報
【発明の開示】
【発明が解決しようとする課題】
【０００３】
特許文献１の技術は、このように各光信号の波長を零分散波長からシフトさせることにより、四光波混合光の発生を抑制する。しかし、特許文献１の技術を比較的長い伝送距離に適用した場合、十分な利得を得るため信号強度を増大させること等が必要となるが、信号強度が大きいと、ノイズである四光波混合光の発生が増大する。従って、各光信号の波長を単に零分散波長からシフトさせるだけでは、このような長距離伝送の場合に四光波混合光の発生を十分低減させることは困難である。そこで本発明の目的は、比較的長い伝送距離であっても四光波混合光の発生を十分に低減できる光トランシーバと光伝送システムとを提供することである。
【課題を解決するための手段】
【０００４】
本発明の光トランシーバは、所定の波長帯域に属する複数の波長を含む波長多重光信号を出力する送信装置と、上記波長帯域に属する複数の波長を含む波長多重光信号を受ける受信装置とを備え、光伝送路を介して外部機器と光信号を送受する光トランシーバであって、上記送信装置から出力される第１の波長多重光信号に第１の分散量を付加して得られる第２の波長多重光信号を生成し、この第２の波長多重光信号を上記光伝送路に出力する第１の分散補償器と、上記光伝送路から出力される第３の波長多重光信号の波長分散を補償して得られる第４の波長多重光信号を生成し、この第４の波長多重光信号を上記受信装置に出力する第２の分散補償器とを備え、上記第２の分散補償器は、上記第１の分散量に対応する分散量を補償するための第１の補償量を、上記第３の波長多重光信号に付加する、ことを特徴とする。
【０００５】
従って、例えば長距離伝送用の比較的大きなパワーの波長多重光信号であっても、波長多重光信号に分散量を付加すれば、波長多重光信号のパワーを減少させることなくピークパワーの低減が可能となる。ピークパワーが低減すると、ピークパワーの低減されたこの波長多重光信号により生じる四光波混合光のパワーも低減できる。
【０００６】
更に、本発明の光トランシーバでは、上記第１の分散補償器は、上記第３の波長多重光信号に含まれており上記光伝送路において生じる第２の分散量を補償するための第２の補償量を、上記第１の分散量と共に上記第１の波長多重光信号に付加してもよいし、上記第２の分散補償器は、上記第３の波長多重光信号に含まれており上記光伝送路において生じる第２の分散量を補償するための第２の補償量を、上記第１の補償量と共に上記第３の波長多重光信号に付加してもよい。
従って、光伝送路において生じる波長分散が補償できる。
【０００７】
更に、本発明の光トランシーバでは、上記波長帯域は、上記光伝送路の零分散波長を含むのが好ましい。従って、光伝送路において生じる波長分散が低減できる。
【０００８】
本発明の光伝送システムは、光伝送路を介して所定の波長帯域に属する複数の波長を含む波長多重光信号を送受する第１及び第２の光トランシーバを備えた光伝送システムであって、上記第１の光トランシーバは、上記波長多重光信号を出力する送信装置と、上記送信装置から送信される第１の波長多重光信号に第１の分散量を付加して得られる第２の波長多重光信号を生成し、この第２の波長多重光信号を上記光伝送路に出力する第１の分散補償器とを有し、上記第２の光トランシーバは、上記波長多重光信号を受ける受信装置と、上記第２の波長多重光信号の入力に応じて上記光伝送路から出力される第３の波長多重光信号の波長分散を補償して得られる第４の波長多重光信号を生成し、この第４の波長多重光信号を上記受信装置に出力する第２の分散補償器とを有し、上記第２の分散補償器は、上記第１の分散量を補償するための第１の補償量を上記第３の波長多重光信号に付加する、ことを特徴とする。
【０００９】
従って、例えば長距離伝送用の比較的大きなパワーの波長多重光信号であっても、波長多重光信号に分散量を付加すれば、波長多重光信号のパワーを減少させることなくピークパワーの低減が可能となる。ピークパワーが低減すると、ピークパワーの低減されたこの波長多重光信号により生じる四光波混合光のパワーも低減できる。
【００１０】
更に、本発明の光伝送システムでは、上記第１の分散補償器は、上記第３の波長多重光信号に含まれており上記光伝送路において生じる第２の分散量を補償するための第２の補償量を、上記第１の分散量と共に上記第１の波長多重光信号に付加してもよいし、上記第２の分散補償器は、上記第３の波長多重光信号に含まれており上記光伝送路において生じる第２の分散量を補償するための第２の補償量を、上記第１の補償量と共に上記第３の波長多重光信号に付加してもよい。従って、光伝送路において生じる波長分散が補償できる。
【００１１】
更に、本発明の光伝送システムでは、上記波長帯域は、上記光伝送路の零分散波長を含むのが好ましい。従って、光伝送路において生じる波長分散が低減できる。
【発明の効果】
【００１２】
本発明によれば、比較的長い伝送距離であっても四光波混合光の発生を十分に低減できる光トランシーバと光伝送システムとが提供できる。
【発明を実施するための最良の形態】
【００１３】
以下、図面を参照して、本発明に係る好適な実施形態について詳細に説明する。なお、図面の説明において、可能な場合には、同一要素には同一符号を付し、重複する説明を省略する。図１に、実施形態に係る光トランシーバ１の構成を示す。光トランシーバ１は、ＷＤＭ（Wavelength Division Multiplexing）通信に用いる光トランシーバである。光トランシーバ１は、送信装置２、分散補償器１０、受信装置１２及び分散補償器２０を備え、光ファイバ２４及び光ファイバ２６（光伝送路）を介して外部機器（光トランシーバ１同様の構成の光トランシーバ）との間で、ＷＤＭ通信において用いられる波長多重光信号を送受する。光ファイバ２４及び光ファイバ２６はＳＭＦ（Single Mode Fiber）であり、光ファイバ２４及び光ファイバ２６の零分散波長は１．３μｍであるとする。
【００１４】
送信装置２は、１．３μｍ帯に属する複数の波長を含む波長多重光信号（第１の波長多重光信号Ｓ１）を出力する。送信装置２は、１．３μｍ帯に含まれるｎ種類（ｎは２以上の自然数）の異なる波長の光信号を出力するｎ個の送信器（送信器４及び送信器６等）と、これらｎ種類の光信号を合波して出力する光分波器８とを有する。これらｎ個の送信器は同様の構成を有するので、以下、送信器４の構成を説明する。送信器４は、ホスト装置２２に電気的に接続されており、ホスト装置２２から出力される送信用の電気信号を光信号に変換する光電変換器である。送信器４は、光分波器８を介して分散補償器１０に光学的に接続されている。送信器４は、ＤＦＢレーザ等の光源と、この光源を駆動する駆動回路とを有する。送信器４の光源の波長は、この送信器４を除く送信装置２の他のｎ−１個の送信器のそれぞれの光源の波長の何れとも異なっている。
【００１５】
光分波器８は、送信装置２のｎ個の送信器（送信器４及び送信器６等）と分散補償器１０とに光学的に接続されている。光分波器８は、送信装置２のｎ個の送信器のそれぞれから出力されるｎ種類の波長の光信号を合波してなる波長多重光信号（第１の波長多重光信号Ｓ１）を分散補償器１０に出力する。
【００１６】
分散補償器１０は、光分波器８と光ファイバ２４とに光学的に接続されている。分散補償器１０は、送信装置２から出力される第１の波長多重光信号Ｓ１に所定の分散量（第１の分散量）を付加して得られる波長多重光信号（第２の波長多重光信号Ｓ２）を生成し、この第２の波長多重光信号Ｓ２を光ファイバ２４に出力する。分散補償器１０は、例えばファブリペローエタロンやファイバグレーティングを有しており、このファブリペローエタロンやファイバグレーティングを用いて、送信装置２から送信される波長多重光信号（ｎ種類の波長の光信号が合波された波長多重光信号）に第１の分散量を付加する。
【００１７】
分散補償器２０は、光分波器１８と光ファイバ２６とに光学的に接続されている。分散補償器２０は、光ファイバ２６から出力される波長多重光信号（第３の波長多重光信号Ｓ３）の波長分散を補償して得られる波長多重光信号（第４の波長多重光信号Ｓ４）を生成し、この第４の波長多重光信号Ｓ４を受信装置１２に出力する。分散補償器２０は、上記の第１の分散量に対応する分散量を補償するための第１の補償量を第３の波長多重光信号Ｓ３に付加することによって、第４の波長多重光信号Ｓ４を生成する。分散補償器２０は、例えばファブリペローエタロンやファイバグレーティングを有しており、このファブリペローエタロンやファイバグレーティングを用いて、第３の波長多重光信号Ｓ３に第１の補償量を付加する。
【００１８】
分散補償器１０，２０がファブリペローエタロンを有する場合、ファブリペローエタロンの二つのミラー（光を透過及び反射する部材）の少なくとも一方は移動可能になっている。これら二つのミラー間の距離が変更されると、この変更に伴って分散補償器１０，２０の補償量も変更される。この場合、分散補償器１０，２０は、二つのミラーを保持する二つのホルダーと、これら二つのホルダーのうち一方のホルダーを固定するステージとを有する。他のホルダーを移動させることにより、ファブリペローエタロンの二つのミラー間の距離が変更される。
【００１９】
また、分散補償器１０，２０がファイバグレーティングを有する場合、このファイバグレーティングのグレーティング間隔は変更可能になっている。グレーティング間隔が変更されると、この変更に伴って分散補償器１０，２０の補償量も変更される。この場合、分散補償器１０，２０は、ファイバグレーティングの両端を滑らずに保持する二つのホルダーと、これら二つのホルダーのうち一方のホルダーを固定するステージとを有する。他のホルダーを移動させることにより、ファイバグレーティングが伸長されてグレーティング間隔が変更される。
【００２０】
光分波器１８は、分散補償器２０と、受信装置１２のｎ個の受信器（受信器１４ａ及び受信器１６ａ等）とに光学的に接続されている。光分波器１８は、分散補償器２０から出力される補償後の波長多重光信号を、この波長多重光信号に含まれており波長の異なるｎ種類の光信号に分波する。光分波器１８は、分波後のｎ種類の光信号のそれぞれを、受信装置１２のｎ個の受信器（受信器１４及び受信器１６等）に出力する。
【００２１】
受信装置１２は、１．３μｍ帯に属する複数の波長を含む第３の波長多重光信号Ｓ３を受信する。受信装置１２は、１．３μｍ帯に属する波長の異なるｎ種類の光信号のそれぞれを受信するｎ個の受信器（受信器１４及び受信器１６等）と、光分波器１８とを有する。これらｎ個の受信器は同様の構成を有するので、以下、受信器１４の構成を説明する。受信器１４は、光分波器１８に光学的に接続されており、光分波器１８から出力される光信号を電気信号に変換する。受信器１４は、光信号を電気信号に変換するフォトダイオードを有している。受信器１４は、この電気信号をホスト装置２２に出力する。
【００２２】
次に、図２を参照して、光トランシーバ１を含む光伝送システム３０について説明する。光伝送システム３０は、ＷＤＭ通信を行う光伝送システムである。光伝送システム３０は、光トランシーバ１、光トランシーバ１ａ、光ファイバ２４、ホスト装置２２及びホスト装置２２ａを備える。光トランシーバ１及び光トランシーバ１ａは、光ファイバ２４の両端にそれぞれ接続されており、ＷＤＭ通信において用いられる波長多重光信号を光ファイバ２４を介して送受する。光トランシーバ１の分散補償器１０から出力される第２の波長多重光信号Ｓ２は、光ファイバ２４を伝送する。この第２の波長多重光信号Ｓ２の入力に応じて光ファイバ２４から第３の波長多重光信号Ｓ３が出力される。この第３の波長多重光信号Ｓ３は、光トランシーバ１ａの分散補償器２０ａに入力する。ホスト装置２２は、光トランシーバ１に接続され、ホスト装置２２ａは、光トランシーバ１ａに接続されている。
【００２３】
光トランシーバ１ａは、光トランシーバ１と同様の構成を有する。特に、受信装置１２ａは受信装置１２と同様であり、受信器１４ａは受信器１４と同様であり、受信器１６ａは受信器１６と同様であり、光分波器１８ａは光分波器１８と同様であり、分散補償器２０ａは分散補償器２０と同様である。そして、ホスト装置２２ａは、ホスト装置２２と同様である。分散補償器２０ａは、光ファイバ２４を介して光トランシーバ１の分散補償器１０に光学的に接続されており、受信器１４ａ及び受信器１６ａを含む受信装置１２ａのｎ個の受信器は、ホスト装置２２ａに電気的に接続されている。
【００２４】
以下、受信装置１２ａは、受信器１４ａ及び受信器１６ａを含む４個の受信器を有し、光トランシーバ１ａの送信装置（不図示）も４個の送信器を有するものとする（すなわちｎの値を４とする）。そして、送信装置２は、送信器４及び送信器６を含む４個の送信器を有し、光トランシーバ１の受信装置（不図示）も４個の受信器を有するものとする。
【００２５】
送信器４及び送信器６を含む送信装置２の４個の送信器は、何れも１．３μｍ帯の光信号を出力する。これら４個の送信器から出力されるそれぞれの光信号は、１２７５μｍ、１３００μｍ、１３２５μｍ、１３５０μｍの波長を有する。これら４個の送信器から出力される各光信号のパワーは、何れも１０ｍＷ（＋１０ｄＢｍ）である。光トランシーバ１の分散補償器１０は、第１の波長多重光信号Ｓ１に＋８００ｐｓ／ｎｍの分散量（第１の分散量）を付加する。分散補償器１０ａは、第３の波長多重光信号Ｓ３に−８００ｐｓ／ｎｍ程度（−８００ｐｓ／ｎｍを含む所定範囲）の分散量（第１の補償量）を付加する。例えば、図２に示すように、分散補償器１０は、第１の分散量を第１の波長多重光信号Ｓ１に付加することにより、第１の波長多重光信号Ｓ１よりもピークパワーの低減された第２の波長多重光信号Ｓ２を生成する。また、図２に示すように、分散補償器１０は、第２の補償量を第３の波長多重光信号Ｓ３に付加することにより、第３の波長多重光信号Ｓ３のピークパワーが増加し、第１の波長多重光信号Ｓ１と同様のピークパワーを有する第４の波長多重光信号Ｓ４を生成する。
【００２６】
光ファイバ２４は、４０ｋｍの長さと、＋０．３５ｄＢｍ／ｋｍのファイバ損失と、１．３μｍの零分散波長とを有する。光ファイバ２４の零分散波長が１．３μｍなので、このような１．３μｍ帯の光信号が光ファイバ２４を伝搬することにより生じる波長分散は、極めて小さい。光ファイバ２４から光トランシーバ１ａの分散補償器２０ａに出力される第３の波長多重光信号Ｓ３には、上記の４種類の光信号と、これらの光信号が光ファイバ２４を伝搬することにより生じる四光波混合光とを含む。この四光波混合光は、１２７５μｍ、１３００μｍ、１３２５μｍ、１３５０μｍの各波長成分を含み、２５ｎｍの波長間隔毎に生じる。光信号の波長と同様の波長を有する四光波混合光は、この光信号に対しノイズとなる。
【００２７】
４０ｋｍの長さの光ファイバ２４から出力される１２７５ｎｍの四光混合光のパワーは、分散補償器１０が第１の波長多重光信号Ｓ１に分散量を付加しない場合に、−１６．１ｄＢｍとなる。また、＋１０ｄＢｍのパワーの１２７５ｎｍの光信号は、光ファイバ２４を４０ｋｍ伝搬すると、ファイバ損失が＋０．３５ｄＢｍ／ｋｍであることから、−４ｄＢｍのパワーに減小する。よって、１２７５ｎｍの光信号のパワーと、１２７５ｎｍの四光混合光（ノイズ）のパワーとの比は、分散補償器１０が第１の波長多重光信号Ｓ１に分散量を付加しない場合に、１２．１ｄＢ（−４ｄＢｍから−１６．１ｄＢｍを差し引いた値）となる。光信号と四光混合光（ノイズ）との比の基準値を２０ｄＢとすると、上記した光信号のパワーと四光混合光のパワーとの比１２．１ｄＢはこの基準値よりも小さいので、分散補償器１０が第１の波長多重光信号Ｓ１に分散量を付加しない場合に生じる四光混合光（ノイズ）のパワーは、上記の基準値の場合に比較して大きい。
【００２８】
次に、実施形態に係る光トランシーバ１のように、分散補償器１０が第１の波長多重光信号Ｓ１に＋８００ｐｓ／ｎｍの分散量を付加した場合に生じる四光混合光（ノイズ）のパワーについて説明する。まず、第１の波長多重光信号に付加する分散量と、この分散量が付加された後の第１の波長多重光信号（すなわち第２の波長多重光信号Ｓ２）のピークとの相関を図３に示す。図３の横軸は分散量を示し、縦軸は第１の波長多重光信号のピーク（分散量が「０」の第１の波長多重光信号Ｓ１のピークを「１．０」とした場合の値）を示す。図３を参照すれば、＋８００ｐｓ／ｎｍの分散量が第１の波長多重光信号Ｓ１に付加されることにより生成される第２の波長多重光信号Ｓ２のピークは、略０．５（すなわち、分散量「０」の第１の波長多重光信号Ｓ１のピークの略半分）となっている。このように、＋８００ｐｓ／ｎｍの分散量を付加することにより、光信号のピークを略１／２に低減できる。第１の波長多重光信号Ｓ１のピークパワーは＋１０ｍＷなので、＋８００ｐｓ／ｎｍの分散量の付加された第２の波長多重光信号Ｓ２のピークパワーは、その半分の＋５ｍＷである。
【００２９】
また、図４に、四光波混合光のパワー（ｄＢｍ）と光信号のピークパワー（ｍＷ）との相関を示す。図４の横軸は光信号のピークパワーを表し、縦軸は四光波混合光のパワーを表す。図４を参照すれば、光信号のピークパワーが＋５ｍＷの場合、このピークパワーに対応する四光波混合光のパワーは、−２７ｄＢｍ程度に抑えられる。
【００３０】
よって、１２７５ｎｍの光信号のパワーと、１２７５ｎｍの四光混合光（ノイズ）のパワーとの比は、分散補償器１０が第１の波長多重光信号Ｓ１に＋８００ｐｓ／ｎｍの分散量を付加した場合に、２３ｄＢ程度（−４ｄＢｍから−２７ｄＢｍ程度を差し引いた値）となる。従って、上記した光信号のパワーと四光混合光のパワーとの比２３ｄＢは上記の基準値２０ｄＢよりも大きいので、分散補償器１０が第１の波長多重光信号Ｓ１に＋８００ｐｓ／ｎｍの分散量を付加しない場合における四光混合光（ノイズ）のパワーは、上記の基準値の場合に比較して小さく、よって、良好な波長多重光信号の伝送が可能となる。
【００３１】
従って、第１の波長多重光信号Ｓ１が長距離伝送のために比較的大きなパワーを有していても、第１の波長多重光信号Ｓ１に第１の分散量を付加すれば、第１の波長多重光信号Ｓ１のパワーを減少させずにピークパワーの低減された第２の波長多重光信号Ｓ２を生成できる。このように、第２の波長多重光信号Ｓ２のピークパワーは、第１の波長多重光信号Ｓ１のピークパワーよりも低減されるので、この第２の波長多重光信号Ｓ２の場合に生じる四光波混合光のパワーも、第１の波長多重光信号Ｓ１の場合に生じる四光波混合光のパワーよりも低減される。更に、第１の波長多重光信号Ｓ１のパワーは低減されないので、第１の波長多重光信号Ｓ１に含まれる情報量の低減も回避される。
【００３２】
なお、光トランシーバ１の分散補償器１０は、第３の波長多重光信号Ｓ３に含まれており光ファイバ２４や光ファイバ２６等の光伝送路において生じる分散量（波長分散）を補償するための補償量を、上記の＋８００ｐｓ／ｎｍの分散量と共に第１の波長多重光信号Ｓ１に付加してもよく、また、分散補償器１０ａは、第３の波長多重光信号Ｓ３に含まれており光伝送路において生じる分散量（波長分散）を補償するための補償量を、上記の−８００ｐｓ／ｎｍ程度の分散量と共に第３の波長多重光信号Ｓ３に付加してもよい。この場合、光トランシーバ１と光トランシーバ１ａとを光学的に接続する光伝送路が、１．３μｍ以外（例えば１．５５μｍ）の零分散波長の光ファイバを含んでいても、このような１．５５μｍの零分散波長の光ファイバにより生じる波長分散が除去できる。
【００３３】
以上、好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【図面の簡単な説明】
【００３４】
【図１】実施形態に係る光トランシーバの構成を示す図である。
【図２】実施形態に係る光伝送システムの構成を示す図である。
【図３】光信号のピークと分散量との相関を示す図である。
【図４】光信号のピークパワーと四光波混合光のパワーとの相関を示す図である。
【符号の説明】
【００３５】
１，１ａ…光トランシーバ、１０，２０ａ，２０…分散補償器、１２，１２ａ…受信装置、１４，１４ａ，１６，１６ａ…受信器、１８，１８ａ，８…光分波器、２…送信装置、２２，２２ａ…ホスト装置、２４，２６…光ファイバ、３０…光伝送システム、４，４ａ，６，６ａ…送信器、Ｓ１…第１の波長多重光信号、Ｓ２…第２の波長多重光信号、Ｓ３…第３の波長多重光信号、Ｓ４…第４の波長多重光信号
【図１】
2009296259.tif 000003
【図２】
2009296259.tif 000004
【図３】
2009296259.tif 000005
【図４】
2009296259.tif 000006